(57)【要約】【課題】表示面の輝度が低いときであっても表示物（文字またはＧＵＩ画像）を見やすく表示可能な表示装置を実現する。【解決手段】表示パネル（１０）の輝度を制御する輝度制御手段（１２）と、輝度が低くなるにつれて、表示パネル（１０）に表示されている文字を構成する画素の数が段階的に多くなるか、または、該文字のコントラストが段階的に高くなるように、表示パネル（１０）に対する表示処理を実行する表示処理手段（１３）と、を備えている。【選択図】図１
2015049332.tif 000002
【特許請求の範囲】
【請求項１】
表示面の輝度を制御する輝度制御手段と、
前記輝度が低くなるにつれて、前記表示面に表示されている文字を構成する画素の数が段階的に多くなるか、または、該文字のコントラストが段階的に高くなるように、前記表示面に対する表示処理を実行する表示処理手段と、を備えている、ことを特徴とする表示装置。
【請求項２】
前記表示処理手段は、前記輝度が低くなるにつれて前記表示面に表示されている文字を構成する画素の数が段階的に多くなるように、前記文字のフォントサイズまたはスタイルを変更する、ことを特徴とする請求項１に記載の表示装置。
【請求項３】
前記表示処理手段は、前記輝度が低くなるにつれて前記コントラストが段階的に高くなるように前記文字の周囲に位置する画素の色を変更する、ことを特徴とする請求項１または２に記載の表示装置。
【請求項４】
表示面の輝度を制御する輝度制御手段と、
所定の機能に関するＧＵＩ画像を複数保持している記憶部と、を備え、
複数の前記ＧＵＩ画像は互いに相異なる画像であり、
前記ＧＵＩ画像を表示する場合に、複数の前記ＧＵＩ画像の中から、現在の前記輝度に応じて選択したＧＵＩ画像を表示する表示処理手段を備えている、ことを特徴とする表示装置。
【請求項５】
表示面の輝度を制御する輝度制御工程と、
前記輝度が低くなるにつれて、前記表示面に表示されている文字を構成する画素の数が段階的に多くなるか、または、該文字のコントラストが段階的に高くなるように、前記表示面に対する表示処理を実行する表示処理工程と、を含んでいることを特徴とする、表示装置の表示方法。
【発明の詳細な説明】
【技術分野】
【０００１】
本発明は、主に、表示装置に関する。
【背景技術】
【０００２】
バッテリで駆動する携帯端末などにおいては、消費電力の低減が重要な課題である。携帯端末の消費電力を低減させるために、表示装置の省電力化が求められている。
【０００３】
一方で、携帯端末の表示装置には、表示画像の良好な視認性が求められている。省電力化を実現するための技術としては、例えば、特許文献１に開示されている技術が挙げられる。
【０００４】
特許文献１には、携帯端末の周囲の明るさに応じてバックライトの輝度を低下させ、これによって消費電力を低減している携帯端末について記載されている。
【０００５】
また、表示画像の視認性を良好にするための技術としては、例えば、特許文献２に開示されている技術が挙げられる。
【０００６】
特許文献２には、ユーザの目と表示部との距離を検知し、この距離に応じて表示部の明るさ、文字のサイズ、及び文字のコントラストを変更する表示装置について記載されている。
【０００７】
さらに、特許文献３には、車の走行状況や運転者の状況などを条件として、所定情報の表示位置、文字サイズ、及び表示輝度を調整する情報提示装置について記載されている。
【先行技術文献】
【特許文献】
【０００８】
【特許文献１】特開２００３−２５８９７５号公報（２００３年９月１２日公開）
【特許文献２】特開２００６−１２６２２９号公報（２００６年５月１８日公開）
【特許文献３】特開２００７−２８３９３４号公報（２００７年１１月１日公開）
【発明の概要】
【発明が解決しようとする課題】
【０００９】
しかしながら、特許文献１の携帯端末では、携帯端末の周囲の明るさに応じてバックライトの輝度を低下させたときに、表示部に表示される文字やイメージなどの視認性が低下するという問題がある。
【００１０】
また、特許文献２及び特許文献３には、この問題の解決手段は示されていない。
【００１１】
本発明は、上記課題に鑑みて成されたものであり、その主な目的は、表示面の輝度が低いときであっても表示物（文字またはＧＵＩ画像）を見やすく表示可能な表示装置を実現することにある。
【課題を解決するための手段】
【００１２】
上記の課題を解決するために、本発明の一態様に係る表示装置は、表示面の輝度を制御する輝度制御手段と、前記輝度が低くなるにつれて、前記に表示面に表示されている文字を構成する画素の数が段階的に多くなるか、または、該文字のコントラストが段階的に高くなるように、前記表示面に対する表示処理を実行する表示処理手段と、を備えている、ことを特徴とする。
【００１３】
また、上記の課題を解決するために、本発明の一態様に係る表示装置は、表示面の輝度を制御する輝度制御手段と、所定の機能に関するＧＵＩ画像を複数保持している記憶部と、を備え、複数の前記ＧＵＩ画像は互いに相異なる画像であり、前記ＧＵＩ画像を表示する場合に、前記複数のＧＵＩ画像の中から、現在の前記輝度に応じて選択したＧＵＩ画像を表示する表示処理手段を備えている、ことを特徴とする。
【発明の効果】
【００１４】
本発明の一態様によれば、表示面の輝度が低いときであっても表示物（文字またはＧＵＩ画像）を見やすく表示可能な表示装置を実現することができるという効果を奏する。
【図面の簡単な説明】
【００１５】
【図１】本発明の各実施形態に係る表示装置の要部構成を示すブロック図である。
【図２】実施形態１及び３に係る表示装置の表示処理の概略を説明する図である。
【図３】実施形態１に係る表示装置の文字サイズの変更の流れについて説明するフローチャートである。
【図４】実施形態２に係る表示装置の文字コントラストの変更の概略について説明する図である。
【図５】実施形態２に係る表示装置の文字コントラストの変更の流れについて説明するフローチャートである。
【図６】実施形態３に係る表示装置のイメージの表示の流れについて説明するフローチャートである。
【図７】実施形態１に係る表示装置の文字サイズの変更における例外処理の流れについて説明するフローチャートである。
【発明を実施するための形態】
【００１６】
〔実施形態１〕
本発明の一実施形態（実施形態１）に係る表示装置は、例えば、携帯端末に使用できる表示装置である。ここで、携帯端末としては、例えば、スマートフォン、携帯電話、タブレットＰＣ、電子書籍リーダ、電子辞書などの携帯端末を挙げることができる。
【００１７】
（表示装置１００の構成）
実施形態１に係る表示装置１００の構成について図１を参照して説明すれば以下の通りである。図１は、実施形態１に係る表示装置１００の要部構成を示すブロック図である。図１に示す通り、実施形態１に係る表示装置１００は、表示パネル（表示面）１０、バックライト１１、輝度制御手段１２、表示処理手段１３、照度センサ１６、及び記憶部１７を備えている。
【００１８】
表示パネル１０は、ＲＧＢ等の画素を有し、バックライト１１から照射された光が各画素を透過することにより、映像を表示するものである。表示パネルは、例えば、液晶パネルである。また、表示パネル１０には有機ＥＬパネルを用いることもできる。
【００１９】
バックライト１１は、表示パネル１０に向けて光を照射する直下型ＬＥＤバックライトである。ただし、バックライト１１は、これに限るものではなく、エッジライト方式であってもよいし、冷陰極管等の他の光源を用いてもよい。
【００２０】
輝度制御手段１２は、バックライト１１の輝度を制御するものである。輝度制御手段１２は、表示装置１００の周囲の照度からバックライト１１の輝度を変更すべきか否かを判断し、表示装置１００の周囲の照度から求められた適切な輝度の光を発するようにバックライト１１を制御する。なお、表示パネル１０が有機ＥＬパネルであれば、輝度制御手段１２は表示パネル１０の輝度を制御することになる。
【００２１】
表示処理手段１３は、輝度制御手段１２が制御しているバックライト１１の輝度から、表示パネル１０が表示している文字のサイズを変更すべきか否かを判断し、文字のサイズを変更すべきと判断した場合には、表示パネル１０に表示されている文字のサイズを、バックライト１１の輝度から求められた適切な文字サイズに変更する。
【００２２】
照度センサ（照度検知手段）１６は、表示装置１００の周囲の照度を検知するものである。照度センサ１６は、フォトダイオードを含む一般的な照度センサを用いるとよい。
【００２３】
記憶部１７は、表示装置１００の周囲の照度と、該照度に応じたバックライト１１の適切な輝度と、表示パネル１０が表示する文字の、該輝度に応じた適切なサイズとを関連付けるテーブルを記憶している。また、記憶部１７は、現在のバックライト１１の輝度と表示パネル１０に表示されている文字の文字サイズとデフォルト文字サイズとを記憶している。ここで、デフォルト文字サイズとは、ユーザが指定している文字サイズのことであり、表示処理手段１３によって拡大又は縮小されていない文字サイズのことである。
【００２４】
（文字サイズの変更の概略）
図２の（ａ）を用いて文字サイズの変更の概略を説明する。バックライト１１の輝度が高いとき、表示パネル１０にはデフォルト文字サイズの文字が表示されている。
【００２５】
図２の（ａ）に示すように、バックライト１１の輝度が通常の状態から低くなれば、デフォルト文字サイズによって表示されている文字の視認性は低下する。ここで、バックライト１１の輝度に応じて文字サイズが大きくなるように表示処理することで、文字を見やすくすることができる。すなわち、文字のサイズを大きくするように表示処理するとは、文字を構成する画素の数を多くすることによって文字のフォントサイズを大きくするように変更することをいう。これによって、表示パネル１０に表示された文字の視認性の低下を防止できる。
【００２６】
（文字サイズ変更のフロー）
図３を用いて表示装置１００における文字サイズの変更の流れについて説明する。表示装置１００では、照度センサ１６によって検知された表示装置１００の周囲の照度に基づき、バックライト１１の輝度と表示パネル１０に表示される文字のサイズとの変更の要否を判断し、表示パネル１０に表示された文字の視認性の低下を防止する。
【００２７】
図３のフローでは、表１のテーブルを使用する。表１のテーブルは、表示装置１００の周囲の照度、バックライト１１の輝度、表示パネル１０が表示する文字のサイズを関連付けるテーブルであり、記憶部１７に記憶されたものである。表１のテーブルは、表示装置１００の周囲の照度の高さに応じて、バックライト１１の輝度をどのような値に設定すべきかを示している。また、表１のテーブルは、バックライト１１の輝度の高さに応じて、表示パネル１０に表示する文字サイズをどのような値に設定すべきかを示している。
【００２８】
【表１】
2015049332.tif 000003
【００２９】
まず、輝度制御手段１２は、照度センサ１６によって検知された表示装置１００の周囲の照度を取得する（Ｓ１００）。
【００３０】
次に、輝度制御手段１２は、表１のテーブルに基づき、Ｓ１００で取得した表示装置１００の周囲の照度からバックライト１１の適切な輝度を求める（Ｓ１０１）。
【００３１】
次に、輝度制御手段１２は、現在のバックライト１１の輝度を記憶部１７から取得し、Ｓ１０１において求められたバックライト１１の適切な輝度と比較する（Ｓ１０２）。ここで、Ｓ１０１において求められたバックライト１１の適切な輝度と、現在のバックライト１１の輝度とが異なっていれば、輝度制御手段１２は、バックライト１１の輝度をＳ１０１において求められた輝度に変更すべきと判断する（Ｓ１０２にてＹｅｓ）。また、Ｓ１０１において求められたバックライト１１の適切な輝度と、現在のバックライト１１の輝度とが一致すれば、輝度制御手段１２はバックライト１１の輝度の変更は必要ないと判断する（Ｓ１０２にてＮｏ）。
【００３２】
輝度制御手段１２は、Ｓ１０２にてＹｅｓと判断すると、バックライト１１の輝度を変更する（Ｓ１０３）。
【００３３】
その後、輝度制御手段１２は、変更後の輝度を現在のバックライト１１の輝度として記憶部１７に記憶する（Ｓ１０４）。
【００３４】
また、表示処理手段１３は、輝度制御手段１２から輝度の変更の通知を受ける（Ｓ１０５）。
【００３５】
次に、表示処理手段１３は、記憶部１７が記憶する表１のテーブルに基づき、輝度制御手段１２から通知を受けたバックライト１１の輝度から表示パネル１０が表示すべき文字の適切な文字サイズを求める（Ｓ１０６）。
【００３６】
ここで、表示処理手段１３は、表示パネル１０に表示されている文字の文字サイズを記憶部１７から取得し、Ｓ１０６において求められた適切な文字サイズと比較する（Ｓ１０７）。Ｓ１０６において求められた適切な文字サイズと、表示パネル１０に表示されている文字の文字サイズとが異なっていれば、表示処理手段１３は、表示パネル１０に表示されている文字のサイズを変更すべきと判断する（Ｓ１０７にてＹｅｓ）。また、Ｓ１０６において求められた適切な文字サイズと、表示パネル１０に表示されている文字の文字サイズとが一致すれば、表示処理手段１３は、表示パネル１０に表示されている文字のサイズの変更は必要ないと判断する（Ｓ１０７にてＮｏ）。
【００３７】
表示処理手段１３は、Ｓ１０７にてＹｅｓと判断すると、表示パネル１０に表示されている文字のサイズをＳ１０６にて求められた適切な文字サイズに変更する（Ｓ１０８）。
【００３８】
（実施形態１に係る表示装置１００の利点）
以上のように、実施形態１に係る表示装置１００は、表示パネル（表示面）１０の輝度を制御する輝度制御手段１２と輝度が低くなるにつれて、表示パネル１０に表示されている文字を構成する画素の数が段階的に多くなるように、表示パネル１０に対する表示処理を実行する表示処理手段１３と、を備えている。
【００３９】
また、表示装置１００は、表示処理手段１３は、輝度が低くなるにつれて表示パネル１０に表示されている文字を構成する画素の数が段階的に多くなるように、前記文字のフォントサイズを変更する。
【００４０】
上記構成によれば、表示パネル１０の輝度が低くなるにつれて、段階的に表示パネル１０に表示する文字のフォントサイズを大きくすることができる。このため、表示パネル１０の輝度が低くなっても、表示パネル１０に文字を見やすく表示することができる。
【００４１】
また、実施形態１に係る表示装置１００は、周囲の照度を検知する照度センサ（照度検知手段）１６をさらに備え、輝度制御手段１２は、照度が低くなるにつれて表示パネル１０の輝度が段階的に低くなるように輝度を制御するように構成することが好ましい。
【００４２】
上記構成によれば、表示装置１００は、周囲の照度に応じて表示パネル１０の適切な輝度を求めるとこができる。また、表示パネル１０の輝度に応じて、表示パネル１０に表示する文字の適切なサイズを求めることができる。また、表示装置１００の周囲の照度に合わせて、輝度を低く設定しても、表示処理手段１３によって表示パネル１０に表示する文字サイズを変更し、表示パネル１０の文字の視認性を良好に維持することができる。つまり、表示パネルの良好な視認性を維持しつつ、表示装置１００を省電力化することができる。
【００４３】
（付記事項）
本実施形態では、表示装置１００は、表示パネル１０の輝度が低くなるにつれて表示パネル１０に表示されている文字のフォントサイズが大きくなるように文字のフォントサイズを制御するものとした。しかしながら、本発明は、このような構成に限定されない。
【００４４】
例えば、図４の（ｂ）に示す通り、表示処理手段１３は、表示パネル１０の輝度が所定の閾値以上である場合には表示パネル１０の文字のスタイルを「通常」に設定し、該輝度が所定の閾値未満である場合には該スタイルを「太字」に設定してもよい。すなわち、文字のスタイルを「太字」に設定するとは、「通常」における文字のスタイルよりも該文字を構成する画素の数を多くすることによって文字のスタイルを「太字」に設定することをいう。このような構成によっても、表示パネル１０に表示されている文字の視認性の低下を防止できる。
【００４５】
〔実施形態２〕
本発明の一実施形態（実施形態２）について説明すれば以下の通りである。実施形態２に係る表示装置は、実施形態１と同様の構成にすることができる。よって、各構成にいての説明は、実施形態１に準じる。
【００４６】
実施形態２においては、図１に示している表示処理手段１３において、輝度制御手段１２が制御しているバックライト１１の輝度から、表示パネル１０が表示している文字のコントラストを変更すべきか否かを判断し、バックライト１１の輝度から求められた適切な文字コントラストに変更する。ここで、文字のコントラストとは、文字と文字の周囲とにおける色の明暗の差のことである。
【００４７】
また、実施形態２では、記憶部１７は、表示装置１００の周囲の照度と、該照度の応じたバックライト１１の適切な輝度と、表示パネル１０が表示する文字の、該輝度に応じた適切なコントラストとを関連付けるテーブルを記憶しており、記憶部１７は、現在のバックライト１１の輝度と現在、表示されている文字のコントラストとを記憶している。
【００４８】
（文字コントラストの変更の概略）
図４を用いて文字サイズの変更の概略について説明する。図４は、実施形態２に係る表示装置による文字コントラストの変更の概略について説明する図である。
【００４９】
バックライト１１の輝度が高いときには、表示パネル１０に表示されている文字のコントラストは通常のコントラストである。ここで、バックライト１１の輝度が低く変更されると、表示パネル１０の文字のコントラストが上がるように該文字の周囲の色が変更される（図４の（ａ））。これによって、表示パネル１０の輝度が低下しても表示パネル１０に表示されている文字の視認性が低下することを防止できる。
【００５０】
なお、図４の（ｃ）に示すように、表示パネル１０の文字のコントラストが上がるようにバックライト１１の輝度に応じて該文字の色を変更してもよい。これによって、文字と文字の周囲との明暗の差を明確にし、表示される文字の視認性の低下を防止することができる。
【００５１】
（文字コントラスト変更のフロー）
図５を用いて実施形態２における文字コントラストの変更の流れについて説明する。実施形態２において、表示装置１００では、照度センサ１６によって検知された表示装置１００の周囲の照度に基づき、バックライト１１の輝度と表示パネル１０に表示される文字のコントラストの変更の要否を判断し、表示パネル１０に表示された文字の視認性の低下を防止する。
【００５２】
なお、実施形態２におけるＳ２００〜Ｓ２０４までのフローは実施形態１のＳ１００〜Ｓ１０４までのフローと同一であるため説明を省略する。また、実施形態２においては、輝度制御手段１２は、Ｓ２０１において表２のテーブルから適切な輝度を求める。また、表示処理手段１３は、Ｓ２０５〜Ｓ２０８のフローにおいて、表２のテーブルから適切な文字のコントラストを求め、表示パネル１０の文字のコントラストの変更を行なう以外は、実施形態１のＳ１０５〜Ｓ１０８と同様のフローを行なう。
【００５３】
【表２】
2015049332.tif 000004
【００５４】
（実施形態２に係る表示装置１００の利点）
以上のように、実施形態２に係る表示装置１００では、表示処理手段１３は、輝度が低くなるにつれてコントラストが段階的に高くなるように、文字の周囲に位置する画素の色または文字の色を変更する。
【００５５】
これらの構成によって、表示パネル１０の輝度が低くなったときにも、表示パネル１０に表示されている文字の視認性が低下することを防止できる。
【００５６】
〔実施形態３〕
本発明の一実施形態（実施形態３）について説明すれば以下の通りである。実施形態３に係る表示装置は、実施形態１と同様の構成にすることができる。よって、各構成についての説明は、実施形態１に準じる。
【００５７】
実施形態３においては、所定の機能（具体的には、表示パネル１０のズーム機能）に関する複数のＧＵＩ画像（イメージ）の例としてアイコンが記憶部１７に保存されている。各アイコンには同一の文字が含まれており、各アイコン内の文字の大きさは、他のアイコン内の文字の大きさと異なっている。なお、上記アイコンは、実施形態３に係る表示装置するイメージ（ＧＵＩ画像）の一例に過ぎない。例えば、記憶部１７には、上記複数のアイコンとともに、または、上記複数のアイコンに代えて、同一の入力文字を示す複数のキー画像が保存されていてもよい。
【００５８】
そして、図１に示している表示処理手段１３は、上記イメージを含む画面の表示中、常に上記複数のイメージのうちのバックライト１１の輝度に応じた適切なイメージが表示されるように上記画面の表示更新処理を行う。
【００５９】
具体的には、表示処理手段１３は、定期的に、輝度制御手段１２が制御しているバックライト１１の輝度から、表示パネル１０が表示しているイメージを変更すべきか否かを判断し、必要に応じて、画面中のイメージをバックライト１１の輝度から求められた適切なイメージに変更する。
【００６０】
また、実施形態３において、記憶部１７は、表示装置１００の周囲の照度と、該照度に応じた適切なバックライト１１の輝度と、表示パネル１０が表示する、該輝度に応じた適切なイメージとを関連付けるテーブルを記憶している。また、記憶部１７は、現在のバックライト１１の輝度と現在、どのイメージが表示されているかを示す情報とを記憶している。これらの情報は、表示処理手段１３の上記処理の際に参照される。
【００６１】
（イメージの変更の概略）
図２の（ｂ）を用いてイメージの変更の概略について説明する。図２の（ｂ）は、実施形態３に係る表示装置によるイメージの変更の概略について説明する図である。
【００６２】
バックライト１１の輝度が高いときには、表示パネル１０には小さな文字を含むアイコンが表示される。例えば、図２の（ｂ）の左側の表示画面に示されているように、バックライト１１の輝度が高いときには、「＋」という小さな文字を含む「拡大」アイコンと「−」という小さな文字を含む「縮小」アイコンとが表示される。
【００６３】
ここで、バックライト１１の輝度が低く変更されると、表示中の「拡大」アイコンが「＋」という大きな文字を含む「拡大」アイコンに変更され、表示中の「縮小」アイコンが「−」という大きな文字を含む「縮小」アイコンに変更される（図２の（ｂ））。これによって、実施形態３に係る表示装置は、表示パネル１０の輝度が低下しても表示パネル１０に表示されているＧＵＩ画像の視認性が低下することを防止でき、ユーザに、アイコンの機能及び用途を明確に把握させることができる。
【００６４】
（イメージ変更のフロー）
図６を用いて実施形態３におけるイメージの変更の流れについて説明する。実施形態３において、表示装置１００では、照度センサ１６によって検知された表示装置１００の周囲の照度に基づき、バックライト１１の輝度と表示パネル１０に表示されるイメージの変更の要否を判断し、表示パネル１０に表示された文字の視認性の低下を防止する。
【００６５】
実施形態３におけるＳ３００、Ｓ３０２〜Ｓ３０４は、それぞれ、実施形態１のＳ１００、Ｓ０１０２〜Ｓ１０４と同一であるため説明を省略する。輝度制御手段１２は、Ｓ３０１において表３のテーブルから適切な輝度を求める。また、表示処理手段１３は、Ｓ３０５〜Ｓ３０８のフローにおいて、表３のテーブルから適切なイメージを求め、必要に応じて表示パネル１０のイメージの変更を行なう以外は、実施形態１におけるＳ１０５〜Ｓ１０８と同様のフローを行なう。
【００６６】
【表３】
2015049332.tif 000005
【００６７】
（実施形態３に係る表示装置１００の利点）
以上のように、実施形態３に係る表示装置１００は、表示パネル１０の輝度を制御する輝度制御手段１２と、所定の機能に関するＧＵＩ画像を複数保持している記憶部１７と、を備え、複数の前記ＧＵＩ画像は互いに相異なる画像であり、前記ＧＵＩ画像を表示する場合に、複数の前記ＧＵＩ画像の中から、現在の前記輝度に応じて選択したＧＵＩ画像を表示する表示処理手段１３を備えている。
【００６８】
上記構成によって、表示装置１００は、バックライト１１の輝度が低く表示パネル１０の視認性が低い場合には、大きな文字を含むＧＵＩ画像を表示することになる。したがって、表示装置１００は、表示パネル１０に表示されたアイコンなどのイメージの視認性の低下を防ぐことができ、ユーザに、アイコンの機能及び用途を明確に把握させることができる。
【００６９】
なお、所定の機能に関する複数のＧＵＩ画像は、文字を含むアイコン画像ではなく、上記機能を模式的に示すようにデザインされた、互いに相異なるアイコン画像であってもよい。この場合、表示装置１００は、バックライト１１の輝度が低く表示パネル１０の視認性が低い場合に単純なデザインのアイコン画像を表示し、バックライト１１の輝度が高く表示パネル１００の視認性が高い場合に複雑なデザインのアイコン画像を表示してもよい。
【００７０】
〔例外処理〕
図７を用いて例外処理にいて説明する。図７は、実施形態１に係る表示パネル１０の文字サイズの変更における例外処理の流れについて説明するフローチャートである。ここで、例外処理とは、表示装置１００に電力を供給するバッテリ等の電池の電力残量が僅かになったときに行われる処理である。
【００７１】
（例外処理のフロー）
本発明の実施形態１〜３における例外処理について説明すれば以下の通りである。
【００７２】
例外処理においては、図１に示している輝度制御手段１２において、バッテリの電力残量から、バックライト１１の輝度を低く変更すべき否かを判断し、バックライト１１の輝度から求められた適切な文字サイズ等に変更することができる。
【００７３】
なお、図７のフローにおいては、表４のテーブルを使用する。表４のテーブルは、バッテリの電力残量、バックライト１１の輝度、表示パネル１０が表示する文字のサイズを関連付けるテーブルであり、記憶部１７に記憶されたものである。表４のテーブルは、表示装置１００のバッテリの電力残量に応じ、バックライト１１の輝度をどのような値に設定すべきかを示している。また、表４のテーブルは、バックライト１１の輝度の高さに応じ、表示パネル１０に表示する文字サイズをどのような値に設定すべきかを示している。
【００７４】
【表４】
2015049332.tif 000006
【００７５】
まず、輝度制御手段１２は、バッテリの電力残量がテーブルに記憶された電力容量（例えば、２０％）以下であるか否かを判断する（Ｓ４０１）。バッテリの電力残量が２０％以下であると判断した場合、輝度制御手段１２は、電力残量が低いときに設定すべきバックライト１１の輝度（「低電力時輝度」と称する）を記憶部１７から取得し、現在のバックライト１１の輝度と比較する。ここで、現在のバックライト１１の輝度と、低電力時輝度とが異なっていれば、輝度制御手段１２は、バックライト１１の輝度が低電力時輝度と等しくなるように、バックライト１１の輝度を変更する（Ｓ４０２）。
【００７６】
そして、表示処理手段１３は、輝度制御手段１２からバックライト１１の輝度の変更の通知を受けると、記憶部１７が記憶している表４のテーブルに基づき、表示パネル１０に表示すべきバックライト１１の輝度が低いときのための文字サイズを求め、表示パネル１０に表示されている文字のサイズと比較する。
【００７７】
バックライト１１の輝度が低いときのための文字サイズと、表示パネル１０に表示されている文字の文字サイズとが異なっていれば、表示処理手段１３は、表示パネル１０に表示されている文字のサイズを変更する（Ｓ４０３）。なお、Ｓ４０１の後の上記比較の結果、現在のバックライト１１の輝度と、低電力時輝度とが等しかった場合、表示装置１００は、Ｓ４０２およびＳ４０３を実行せずに処理を終了する。
【００７８】
なお、実施形態２及び３における例外処理は、それぞれ、図７のフローチャートのＳ４０３における「文字サイズを変更」を、「文字コントラストを変更」および「イメージを変更」に読み替えることにより把握されるフローチャートに従った処理となる。なお、上記例外処理の説明と実施形態２及び３の説明とを参照した当業者であれば、各例外処理の詳細な説明を行わなくとも、各例外処理について十分に理解できるであろう。
【００７９】
（各実施形態における例外処理の利点）
各実施形態において例外処理を行なうことによって、バッテリの電力残量が低くなったときに、表示装置１００の消費電力を低減させることができる。このため、表示装置を使用することが可能な時間を延ばしつつ、文字サイズ、文字コントラスト、及びイメージを変更することで、表示パネル１０に表示される文字及びイメージの良好な視認性を維持できることができる。
【００８０】
〔ソフトウェアによる実現例〕
表示装置１００の制御ブロック（特に輝度制御手段１２及び表示処理手段１３）は、集積回路（ＩＣチップ）等に形成された論理回路（ハードウェア）によって実現してもよく、ＣＰＵ（Central Processing Unit）を用いてソフトウェアによって実現してもよい。
【００８１】
後者の場合、表示装置１００は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、ディスクなどを用いることができる。また、上記プログラムは、該プログラムを伝送可能な任意の伝送媒体（通信ネットワークや放送波等）を介して上記コンピュータに供給されてもよい。
【００８２】
〔まとめ〕
本発明の態様１に係る表示装置は、表示面（表示パネル１０）の輝度を制御する輝度制御手段と、前記輝度が低くなるにつれて、前記表示面に表示されている文字を構成する画素の数が段階的に多くなるか、または、該文字のコントラストが段階的に高くなるように、前記表示面に対する表示処理を実行する表示処理手段と、を備えている。
【００８３】
上記構成によれば、表示面の輝度が低くなっても、文字を見やすく表示できる。
【００８４】
態様２に係る表示装置は、上記態様１にて、前記表示処理手段は、前記輝度が低くなるにつれて前記表示面に表示されている文字を構成する画素の数が段階的に多くなるように、前記文字のフォントサイズまたはスタイルを変更する。
【００８５】
態様３に係る表示装置は、上記態様１又は２にて、前記輝度が低くなるにつれて前記コントラストが段階的に高くなるように前記文字の周囲に位置する画素の色を変更する。
【００８６】
態様４に係る表示装置は、上記態様１又は２にて、前記表示処理手段は、前記輝度が低くなるにつれて前記コントラストが段階的に高くなるように前記文字の色を変更する。
【００８７】
態様５に係る表示装置は、上記態様１又は２にて、前記文字は画像データが表す画像中の文字であり、複数の前記画像を保持している記憶部を備え、前記複数の画像の各々には、他の前記画像中の文字と同じ意味を持つ文字であって、前記他の画像中の文字とは大きさの異なる文字が含まれており、前記表示処理手段は、前記複数の画像の中から前記輝度に基づいて選択した画像を前記表示面に表示するように構成され、前記表示処理手段は、前記輝度が低い程、より大きな文字を含む画像を選択するように構成されている。
【００８８】
態様６に係る表示装置は、表示面の輝度を制御する輝度制御手段と、所定の機能に関するＧＵＩ画像を複数保持している記憶部と、を備え、複数の前記ＧＵＩ画像は互いに相異なる画像であり、前記ＧＵＩ画像を表示する場合に、複数の前記ＧＵＩ画像の中から、現在の前記輝度に応じて選択したＧＵＩ画像を表示する表示処理手段を備えている。
【００８９】
上記構成によれば、表示面の輝度が低くなっても、ＧＵＩ画像を見やすく表示できる。
【００９０】
態様７に係る表示装置の表示方法は、表示面の輝度を制御する輝度制御工程と、前記輝度が低くなるにつれて、前記表示面に表示されている文字を構成する画素の数が段階的に多くなるか、または、該文字のコントラストが段階的に高くなるように、前記表示面に対する表示処理を実行する表示処理工程と、を含んでいる。
【００９１】
上記構成によれば、本発明の態様１に係る表示装置の効果と同等の効果を奏する。
【００９２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００９３】
１０  表示パネル（表示面）
１２  輝度制御手段
１３  表示処理手段
１７  記憶部
１００  表示装置
【図１】
2015049332.tif 000007
【図２】
2015049332.tif 000008
【図３】
2015049332.tif 000009
【図４】
2015049332.tif 000010
【図５】
2015049332.tif 000011
【図６】
2015049332.tif 000012
【図７】
2015049332.tif 000013